(57)【要約】 【課題】  治具の操作性を改善する。【解決手段】  ハウジング２０には、端子金具１０を収容可能な端子収容部２１と、端子収容部２１の周りを取り囲むとともに前方へ開口する外筒部２２とが設けられている。端子収容部２１には、外筒部２２の開口部分を通して取付部材４０が前後方向に沿って着脱可能とされている。取付部材４０には、外筒部２２内に挿入された治具Ｊが引っ掛けられる第１治具引っ掛け部５４と第２治具引っ掛け部５５とが設けられており、この治具Ｊをてこ操作することで、取付部材４０を前方へ移動させることが可能とされる。これら第１治具引っ掛け部５４と第２治具引っ掛け部５５とは、互いに前後に異なる位置に配されている。【選択図】  図１６
2005322488.tif 000002
【特許請求の範囲】
【請求項１】
コネクタハウジングには、端子金具を収容可能な端子収容部と、端子収容部の周りを取り囲むとともに前方へ開口する外筒部とが設けられており、前記端子収容部に対して前記外筒部の開口部分を通して前後方向に沿って着脱可能とされる取付部材が備えられたものであって、
前記取付部材には、前記外筒部内に挿入された治具が引っ掛けられる治具引っ掛け部が設けられ、この治具をてこ操作することで前記取付部材を前方へ移動可能とされており、前記治具引っ掛け部は、互いに前後に異なる位置に複数配されていることを特徴とするコネクタ。
【請求項２】
前記端子収容部には、前記端子金具を抜け止めするためのランスが撓み変形可能に設けられ、前記取付部材には、前記ランスの撓み変形を規制可能な撓み規制部が設けられており、
前記取付部材は、前記撓み規制部が前記ランスの撓み空間の前方に退避する仮係止位置と、撓み規制部が前記撓み空間内に進入する本係止位置とを前後に移動可能とされており、
前記取付部材には、前記取付部材を前記本係止位置から前記仮係止位置へ移動させるための第１治具引っ掛け部と、取付部材を仮係止位置から取り外すための第２治具引っ掛け部とが前後に並んで設けられていることを特徴とする請求項１記載のコネクタ。
【請求項３】
前記各治具引っ掛け部は、互いに前後方向と略直交する方向について異なる位置に配されるとともに、互いに繋ぎ部によって繋がれていることを特徴とする請求項１または請求項２記載のコネクタ。
【発明の詳細な説明】
【技術分野】
【０００１】
本発明は、コネクタに関する。
【背景技術】
【０００２】
従来、ハウジングにフロントリテーナを装着するようにしたものの一例として下記特許文献１に記載されたものが知られている。このものは、ハウジングが端子金具を収容する端子収容部と、端子収容部の周りを取り囲むとともに前方へ開口する外筒部とからなり、このうち端子収容部に対して外筒部の開口部分を通してフロントリテーナが着脱可能とされている。フロントリテーナは、端子収容部に対して正規に取り付けられると、端子金具に係止するランスに対して係合することで、ランスの撓み変形を規制する撓み規制部を有している。
【０００３】
上記したようなフロントリテーナを、例えばハウジングから取り外すにあたって治具を用いる場合がある。その場合には、図１５に示すように、フロントリテーナ１の外面に治具２を引っ掛けるための治具引っ掛け部３を突出して設けることが考えられる。取り外すには、治具２を治具引っ掛け部３に引っ掛けつつ治具２を外筒部４の前端部４ａに当ててそこを支点としててこ操作することで、フロントリテーナ１を前方へ移動させるようにする。
【特許文献１】特開平１１−２５０９７０号公報
【発明の開示】
【発明が解決しようとする課題】
【０００４】
ところが、上記した構造では、一度のてこ操作によってフロントリテーナ１を取り外すようにしているため、治具２を同図実線に示す前傾姿勢から、上下方向に沿った垂直姿勢を経て、同図想像線に示す後傾姿勢へと至らせることになる。このうち治具２が前傾姿勢から垂直姿勢に至る過程では、作用点である治具引っ掛け部３が支点である外筒部４の前端部４ａに接近するので、必要な操作力が小さくて済むのに対し、垂直姿勢から後傾姿勢に至る過程では、治具引っ掛け部３が外筒部４の前端部４ａから離間することになるため、必要な操作力が大きくなって治具２の操作性が悪化する。このため、作業者はてこ操作の終盤において治具２に過大な力を付与し勝ちとなり、その力によって外れたフロントリテーナ１が勢いよく飛ばされてしまい、例えばフロントリテーナ１を紛失するおそれがあった。
本発明は上記のような事情に基づいて完成されたものであって、治具の操作性を改善することを目的とする。
【課題を解決するための手段】
【０００５】
上記の目的を達成するための手段として、請求項１の発明は、コネクタハウジングには、端子金具を収容可能な端子収容部と、端子収容部の周りを取り囲むとともに前方へ開口する外筒部とが設けられており、前記端子収容部に対して前記外筒部の開口部分を通して前後方向に沿って着脱可能とされる取付部材が備えられたものであって、前記取付部材には、前記外筒部内に挿入された治具が引っ掛けられる治具引っ掛け部が設けられ、この治具をてこ操作することで前記取付部材を前方へ移動可能とされており、前記治具引っ掛け部は、互いに前後に異なる位置に複数配されている構成としたところに特徴を有する。
【０００６】
請求項２の発明は、請求項１に記載のものにおいて、前記端子収容部には、前記端子金具を抜け止めするためのランスが撓み変形可能に設けられ、前記取付部材には、前記ランスの撓み変形を規制可能な撓み規制部が設けられており、前記取付部材は、前記撓み規制部が前記ランスの撓み空間の前方に退避する仮係止位置と、撓み規制部が前記撓み空間内に進入する本係止位置とを前後に移動可能とされており、前記取付部材には、前記取付部材を前記本係止位置から前記仮係止位置へ移動させるための第１治具引っ掛け部と、取付部材を仮係止位置から取り外すための第２治具引っ掛け部とが前後に並んで設けられているところに特徴を有する。
【０００７】
請求項３の発明は、請求項１または請求項２に記載のものにおいて、前記各治具引っ掛け部は、互いに前後方向と略直交する方向について異なる位置に配されるとともに、互いに繋ぎ部によって繋がれているところに特徴を有する。
【発明の効果】
【０００８】
＜請求項１の発明＞
例えば、取付部材をコネクタハウジングから取り外す場合には、治具を外筒部内に挿入して治具引っ掛け部に引っ掛けつつてこ操作することで、取付部材を前方へ移動させるようにする。このとき、治具引っ掛け部を複数設けるとともにその配置を互いに前後に異なる設定としているから、取付部材を前方へ所定距離移動させるごとに治具を後側の治具引っ掛け部に引っ掛け直すことができるので、治具の操作性が良好なものとなる。
【０００９】
＜請求項２の発明＞
取付部材を本係止位置から仮係止位置へ移動させる際には第１治具引っ掛け部に治具を引っ掛けつつてこ操作を行うようにする。取付部材を仮係止位置から取り外す際には、第１治具引っ掛け部から後側の第２治具引っ掛け部に治具を引っ掛け直してからてこ操作を行うようにする。
【００１０】
＜請求項３の発明＞
治具を引っ掛け直す際には、繋ぎ部に沿って治具を移動させればよいから、治具の操作性が良好なものとなる。
【発明を実施するための最良の形態】
【００１１】
＜実施形態＞
本発明の一実施形態を図１ないし図１６によって説明する。本実施形態では、雌コネクタを例示する。この雌コネクタは、雌型の端子金具１０と、端子金具１０を収容するコネクタハウジング２０（以下、単にハウジング２０という）と、ハウジング２０に対して前後方向に沿って着脱可能とされる取付部材４０とから構成されている。なお、以下ではハウジング２０に対する端子金具１０の挿入方向を前方、逆の抜き取り方向を後方とし、また上下方向については図１や図８を基準とする。
【００１２】
端子金具１０は、金属板をプレス成形することで所定形状に形成されており、図１０に示すように、前後に開口する略箱型をなす本体部１１と、電線Ｗの端末に接続されるバレル部１２とを前後に繋げた構成とされる。本体部１１のうち上側の外壁のうち、長さ方向略中央部分には、ハウジング２０のランス２６が進入可能な切欠部１３が形成されており、その切欠部１３の前縁に対してランス２６が係止可能とされる。切欠部１３の前縁には、上方へ突出するとともにランス２６が係止可能な係止突部１４が設けられている。また外壁の後端部には、係止突部１４とほぼ同じ高さまで突出する突部１５が設けられている。バレル部１２は、前後に一対ずつのかしめ片を備えた構成とされ、前側の両かしめ片が電線Ｗの芯線部分に、後側のかしめ片が電線Ｗの被覆部分に嵌着されたシール栓１６に対してかしめ付けられている。
【００１３】
ハウジング２０は、合成樹脂製とされており、図１、図２及び図８に示すように、端子金具１０を収容可能な端子収容部２１と、端子収容部２１の周りを取り囲むとともに前方へ開口する外筒部２２とから構成されており、このうち端子収容部２１の前端側には、外筒部２２の開口部分を通して前方から取付部材４０が被せ付けられるようになっている。これら端子収容部２１と外筒部２２との間には、前方から相手の雄コネクタのハウジング（図示せず）が嵌合可能とされている。端子収容部２１の外周面のうち取付部材４０の後側には、嵌合される相手のハウジングの内周面に密着することで両ハウジング間をシール可能なシールリング２３が嵌着されている。外筒部２２は、横長な略角筒状をなしており、端子収容部２１の後ろ寄りの位置に連結されている。外筒部２２の上部には、所定形状に切欠されることで、相手のハウジングを嵌合状態に保持するためのロックアーム２４が形成されている。
【００１４】
端子収容部２１は、ハウジング２０の全長にわたる長さ寸法を有するとともに横長な略ブロック状に形成されており、その内部には、後方から端子金具１０を挿入可能なキャビティ２５が上下２段、幅方向に５室ずつ並んで設けられている。各キャビティ２５の上面側には、端子金具１０に係止してこれを抜け止め可能なランス２６がそれぞれ設けられている。ランス２６は、後端側を基端とした片持ち状に形成されるとともに、上下方向（端子金具１０の挿抜方向と交差する方向）に沿って撓み変形可能とされ、撓み変形時には上側に確保された撓み空間２７内へ進入可能とされる。ランス２６は、上面が前方に向かって下り勾配をなすよう傾斜しているのに対し、下面がほぼ水平にされ、つまり全体が先細り状（根元側ほど太くなる形状）をなしている。ランス２６は、幅寸法がキャビティ２５よりも大きく設定されるとともに正面から見て逆Ｔ字型をなしており、幅方向略中央部が厚肉に形成されるのに対し、幅方向両側部が薄肉に形成されている。またキャビティ２５の上面とこの上面に連続するランス２６の下面（キャビティ２５側を向いた面）における幅方向略中央部には、端子金具１０の係止突部１４や突部１５を挿通可能な挿通溝部２８が後方へ開口して設けられている（図２）。挿通溝部２８は、その前端位置がランス２６の途中位置に設定されるとともに、ランス２６の根元位置から前端側に行くほど浅くなるよう形成され、つまり溝底面が係止突部１４のランス２６に対する押圧動作を案内できるようテーパ状に形成されている。
【００１５】
各キャビティ２５の周壁のうちランス２６よりも前側部分は、キャビティ２５よりも幅寸法が大きいランス２６を成形する都合上、上側約半分が切り欠かれている。詳しくは、各キャビティ２５の上壁２５ａは、ランス２６よりも前側部分の全域が、前壁２５ｂ及び両側壁２５ｃは、ランス２６よりも前側部分の上側約半分がそれぞれ切欠されている。また残された各側壁２５ｃの前部（下側約半分）における幅方向略中央には、図１及び図９に示すように、前方へ開口する溝部２９がそれぞれ設けられている。溝部２９は、その奥端位置がランス２６の根元位置よりも前側となる深さに設定され、また側壁２５ｃを上下に貫通して形成されている。この溝部２９の溝幅は、幅方向に隣り合うランス２６間に形成される溝状空間３０とほぼ同じに設定され、且つこの溝状空間３０と幅方向についてほぼ整合している。なお端子収容部２１のうち上段側のランス２６の上側には、取付部材４０の着脱を案内可能なガイド壁３１が対向して残されている。ガイド壁３１の下面と、上段側のキャビティ２５の両側壁２５ｃの前部の下面とのうち、各ランス２６の幅方向両側部と対向する位置からは、図１に示すように、ランス２６がその弾性限度を超えて撓み変形する手前の段階でランス２６に対して係合可能な過度撓み規制部３２が一対ずつ下方へ突出して設けられており、これによりランス２６の過度撓みが規制可能とされる。また残されたキャビティ２５の前壁２５ｂ（下側半分）には、相手の雄型の端子金具のタブの挿通を許容するタブ挿通孔２５ｄが形成されている。
【００１６】
取付部材４０は、合成樹脂製とされており、図３及び図８に示すように、端子収容部２１に対して外嵌可能とされ、その外形に沿って横長な略筒状をなす本体部４１を有している。本体部４１の外周面における後端部には、ほぼ全周にわたって外方へ張り出す段部４２が設けられ、この段部４２はシールリング２３に対して係止してこれを抜け止め可能とされる（図１３参照）。本体部４１の外周面のうち上面には、図５に示すように、前後方向に沿って延出する一対の補強リブ４３が設けられており、両補強リブ４３は段部４２に連結されている。また本体部４１の上部の後面には、図４に示すように、ガイド壁３１の前端部を受け入れ可能なガイド溝部４４が後方へ開口して設けられている。
【００１７】
本体部４１の内周面は、図４及び図９に示すように、上下方向に沿う（縦長な）４本の隔壁４５によって連結されている。各隔壁４５は、幅方向についてハウジング２０側の各溝部２９に対応する位置に配されており、取付部材４０がハウジング２０に取り付けられるのに伴って、各溝部２９及び隣り合うランス２６間の溝状空間３０内に挿入されるようになっている。取付状態では、隔壁４５により隣り合うランス２６同士が仕切られるとともに、隣り合うキャビティ２５内に挿入される端子金具１０同士が絶縁状態に仕切られる（図１４参照）。
【００１８】
本体部４１の前部には、図１及び図８に示すように、ハウジング２０側における各キャビティ２５の周壁の切欠部分に嵌合可能な壁部４６が、各キャビティ２５に対応する位置にそれぞれ設けられるとともに上記した隔壁４５に連結されている。壁部４６は、取り付け状態でランス２６の前側に配されるとともにキャビティ２５の上壁２５ａの前端部を構成する部分と、各キャビティ２５の前壁２５ｂ及び両側壁２５ｃの上側約半分を構成する部分とからなる（図１３参照）。また壁部４６のうち各キャビティ２５の前壁２５ｂをなす部分には、ハウジング２０側のタブ挿通孔２５ｄに整合可能なタブ挿通孔４６ａが設けられている。壁部４６の後端部からは、ランス２６の撓み空間２７内に進入可能な撓み規制部４７が設けられている。詳しくは、撓み規制部４７は、図４及び図６に示すように、各ランス２６の幅方向両側部に対応して互いに離間した位置に一対ずつ設けられており、撓み空間２７のうちランス２６の幅方向両側部と両過度撓み規制部３２との間の位置に進入可能とされる（図１を参照）。また上記した隔壁４５は、撓み規制部４７よりも後方位置まで延出して形成されている。
【００１９】
この取付部材４０は、ハウジング２０に対して、撓み規制部４７がランス２６の撓み空間２７の前方に退避していてキャビティ２５内への端子金具１０の挿入動作を許容する仮係止位置（図１０）と、撓み規制部４７が撓み空間２７内に進入してランス２６の撓み変形を規制可能な本係止位置（図１３）との間を前後に移動可能に装着されており、続いて説明する保持手段により両位置のいずれかに選択的に保持可能とされる。
【００２０】
取付部材４０の４本の隔壁４５のうち両端に位置する両隔壁４５には、図３に示すように、第１保持突部４８と第２保持突部４９とが２つずつ設けられている。両保持突部４８，４９は、共に隔壁４５のうち上下各壁部４６の下側に隣接する位置にそれぞれ配されるとともに、互いに隔壁４５の表裏逆の面に配されている。詳しくは、図３に示す右側の隔壁４５では、その右側面に第１保持突部４８が、左側面に第２保持突部４９が設けられ、左側の隔壁４５では、その左側面に第１保持突部４８が、右側面に第２保持突部４９が設けられている。第１保持突部４８は、図９に示すように、第２保持突部４９よりも後方に配されている。一方、ハウジング２０におけるキャビティ２５の側壁２５ｃのうち、上記した両保持突部４８，４９を有する隔壁４５が差し込まれる溝部２９を有する両側壁２５ｃには、図２及び図９に示すように、後方へ開口するとともに両保持突部４８，４９が進入可能な係止溝部３３が一対ずつ設けられている。係止溝部３３は、側壁２５ｃにおける幅方向両側部を切欠して形成され、その高さ範囲は両保持突部４８，４９とほぼ同じに設定されている。この係止溝部３３の前縁が、両保持突部４８，４９が係止可能な係止部３４とされる。
【００２１】
詳しくは、取付部材４０が仮係止位置に装着された状態では、図１１に示すように、第１保持突部４８が係止溝部３３内に進入してその前面が係止部３４に対して係止するとともに、第２保持突部４９の後面がキャビティ２５の前壁２５ｂの前端面に係止することで、取付部材４０が仮係止位置に保持される。一方、取付部材４０が本係止位置に装着された状態では、図１４に示すように、第２保持突部４９が係止溝部３３内に進入してその前面が係止部３４に対して係止するとともに、本体部４１の後端面が端子収容部２１の外面に形成された段差部に突き当たり、且つ、図１３に示すように、ガイド溝部４４内に進入したガイド壁３１が溝縁に突き当たることで、取付部材４０が本係止位置に保持される。また本係止位置では、段部４２の後端面がシールリング２３の前端面に係止し、また取付部材４０とハウジング２０との前端面がほぼ面一状をなす。
【００２２】
さて、取付部材４０の外周面である本体部４１の下面には、図７に示すように、張出部５０が下方へ突出して設けられている。詳しくは、張出部５０は、全体として同図左右対称形状とされており、前後方向に沿って延出するとともに後端が段部４２に連結された一対のリブ５１と、両リブ５１の前端部から互いに接近するよう幅方向に沿って所定幅突出した後に前方へ向けて所定長さ突出する一対の段付き部５２と、両段付き部５２の前端部を連結する連結部５３とから構成されている。そして、この張出部５０のうち連結部５３と両段付き部５２の後端面には、ハウジング２０に装着した取付部材４０を操作するための治具Ｊが引っ掛け可能とされており、連結部５３の後端面が第１治具引っ掛け部５４とされ、両段付き部５２の後端面が第２治具引っ掛け部５５とされている。
【００２３】
第１治具引っ掛け部５４と第２治具引っ掛け部５５は、互いに前後方向及び幅方向（前後方向と略直交する方向）について異なる位置に配されている。詳しくは、前後方向について第１治具引っ掛け部５４が第２治具引っ掛け部５５よりも前側に配され、幅方向については第１治具引っ掛け部５４が取付部材４０における幅方向略中央位置に、両第２治具引っ掛け部５５がその両側方位置に配されている。第１治具引っ掛け部５４と第２治具引っ掛け部５５とは、段付き部５２の内側面（前後方向に沿った面）によって連続的に繋げられている。この段付き部５２の内側面が繋ぎ部５６とされる。第１治具引っ掛け部５４と第２治具引っ掛け部５５との間の前後の離間距離は、取付部材４０が仮係止位置と本係止位置との間を移動する距離とほぼ等しく設定されている。
【００２４】
取付部材４０を移動させる際には、外筒部２２の開口部分に治具Ｊを挿入するとともにその先端部をいずれかの治具引っ掛け部５４，５５に対して引っ掛け、その状態で治具Ｊの途中部位を外筒部２２の下部の前端部２２ａに当ててそこを支点としつつてこ操作するようにする。そして、第１治具引っ掛け部５４は、取付部材４０を本係止位置から仮係止位置へ移動させる際に治具Ｊが引っ掛けられ、第２治具引っ掛け部５５は、取付部材４０を仮係止位置から前方へ移動させてハウジング２０から取り外す際に治具Ｊが引っ掛けられるようになっている。ここで、取付部材４０が本係止位置に装着された状態では、図１５に示すように、第１治具引っ掛け部５４は、治具Ｊの支点位置である外筒部２２の前端部２２ａよりも後方に配されている。一方、取付部材４０が仮係止位置に装着された状態では、図１６に示すように、第１治具引っ掛け部５４が外筒部２２の前端部２２ａよりも少し（治具Ｊの厚み分程度）前方へ突出した位置とされるとともに、第２治具引っ掛け部５５が外筒部２２の前端部２２ａよりも後方で且つ本係止位置のときの第１治具引っ掛け部５４とほぼ同じ位置に配されている。
【００２５】
本実施形態は以上のような構造であり、続いてその作用を説明する。雌コネクタを組み付けるには、図１０ないし図１１に示すように、取付部材４０をハウジング２０に対して仮係止位置に装着した後、電線Ｗの端末に接続した各端子金具１０を対応するキャビティ２５内に挿入する。端子金具１０を挿入する過程では、係止突部１４及び突部１５が挿通溝部２８内に進入し、所定深さに達すると端子金具１０の外壁及び係止突部１４により押圧されてランス２６が一旦撓み変形する。そして、端子金具１０が正規深さに達すると、図１２に示すように、ランス２６が復元して切欠部内に進入するとともに切欠部１３の前縁及び係止突部１４に対して係止することで、端子金具１０が抜け止め状態に保持される。またこのときシール栓１６がキャビティ２５の内周面に密着することでキャビティ２５内のシールが図られる。
【００２６】
全ての端子金具１０を挿入し終えたら、取付部材４０を本係止位置へ移動させる作業を行う。取付部材４０を仮係止位置から後方へ押し込んで本係止位置まで移動させると、図１３に示すように、各撓み規制部４７が各ランス２６の撓み空間２７内に進入することで、ランス２６の撓み変形が規制され、もって端子金具１０の抜け止め力が増強される。このとき、各壁部４６が各キャビティ２５の周壁における切欠部分に嵌合し、ハウジング２０側の各キャビティ２５の周壁と整合することで、端子金具１０の前端部が全周にわたって支持される。またこのとき、図１４に示すように、各隔壁４５が各溝部２９内の奥端位置まで挿入され、この隔壁４５により隣り合うキャビティ２５内の端子金具１０同士が絶縁状態に隔絶される。上記のようにして組み付けた雌コネクタは、その後相手の雄コネクタと嵌合される。
【００２７】
ところで、メンテナンスなどの事情により端子金具１０をハウジング２０から取り外す場合がある。その場合は、雌コネクタを雄コネクタから離脱させた後、ハウジング２０から取付部材４０を取り外す作業を行うようにする。取付部材４０を取り外すには、図１５に示すように、外筒部２２の開口部分に治具Ｊを挿入してその治具Ｊの先端部を取付部材４０の第１治具引っ掛け部５４に引っ掛けるとともに、治具Ｊの途中部位を外筒部２２の下部の前端部２２ａに当てて全体を上下方向に対して前傾した姿勢とし、その前傾姿勢から治具Ｊの把持部分を後方へ押し込むことで、前端部２２ａを支点としたてこ操作が行われる。すると、治具Ｊに引っ掛けられた第１治具引っ掛け部５４が前方へ押されることで、係止部３４に対する第２保持突部４９の係止状態が解除されて取付部材４０が本係止位置から前方へ移動する（図１４参照）。図１５の想像線に示すように、治具Ｊが上下方向に沿ってほぼ垂直な姿勢に達すると、取付部材４０が仮係止位置に至るので、てこ操作を終了する。この過程では、作用点である第１治具引っ掛け部５４が支点である外筒部２２の前端部２２ａに接近するので、必要な操作力が小さく済み、操作性が良好となっている。
【００２８】
取付部材４０が仮係止位置に達したら、治具Ｊを操作して第１治具引っ掛け部５４との引っ掛かり状態を解除するとともに、引き続いて治具Ｊの先端部を第２治具引っ掛け部５５に引っ掛けるようにする。このとき、治具Ｊの先端部を第１治具引っ掛け部５４に連続する繋ぎ部５６に摺接させつつその繋ぎ部５６に連続する第２治具引っ掛け部５５へと案内することができるので（図７参照）、治具Ｊの引っ掛け直し作業を円滑に行うことができる。なおこのとき左右いずれの第２治具引っ掛け部５５に治具Ｊを引っ掛けるようにしても構わない。
【００２９】
図１６に示すように、治具Ｊの先端部を第２治具引っ掛け部５５に引っ掛けて治具Ｊを再び前傾姿勢としたら、上記と同様に治具Ｊをてこ操作する。すると、治具Ｊに引っ掛けられた第２治具引っ掛け部５５が前方へ押されることで、係止部３４に対する第１保持突部４８の係止状態が解除されて取付部材４０が仮係止位置から前方へ移動する（図１１参照）。そして、図１６の想像線に示すように、治具Ｊがほぼ垂直な姿勢に達したら、てこ操作を終了する。この過程では、作用点である第２治具引っ掛け部５５が支点である外筒部２２の前端部２２ａに接近するので、必要な操作力が小さく済み、操作性が良好となっている。その後、取付部材４０を摘んでハウジング２０から取り外すようにする。なおてこ操作完了時の取付部材４０の位置は、図１６の想像線の位置から多少前後しても構わない。
【００３０】
上記のようにして取付部材４０をハウジング２０から取り外したら、露出したランス２６を治具などによって強制的に撓み変形させて端子金具１０に対する係止状態を解除しつつ、電線Ｗを後方へ引っ張ることで、端子金具１０をハウジング２０から抜き取るようにする。
【００３１】
以上説明したように本実施形態によれば、取付部材４０に２つの治具引っ掛け部５４，５５を設け、その配置を互いに前後に異なる設定としているから、第１治具引っ掛け部５４に治具Ｊを引っ掛けて取付部材４０を前方へ所定距離移動させた後、第２治具引っ掛け部５５に治具Ｊを引っ掛け直すことができ、つまり多段階でてこ操作を行うことができる。これにより、取付部材４０を取り外すのに治具Ｊを前傾姿勢から垂直姿勢へてこ操作すればよく、従来のように垂直姿勢から後傾姿勢へてこ操作する必要がないので（図１９を参照）、治具Ｊの操作性が良好なものとなる。
【００３２】
しかも、第１治具引っ掛け部５４と第２治具引っ掛け部５５とを幅方向について異なる位置に配するとともに、互いに繋ぎ部５６によって繋ぐようにしたから、治具Ｊを引掛け直す際には、繋ぎ部５６に沿って治具Ｊを移動させればよく、治具Ｊの操作性が良好なものとなる。
【００３３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した実施形態では、取付部材の外面に張出部を設けてそこに治具引っ掛け部を設けたものを示したが、例えば取付部材の外面に凹部を設けてそこに治具引っ掛け部を設けるようにしてもよい。要するに取付部材の外面に段差部分を形成してその段差面を治具引っ掛け部としたものであればよい。
【００３４】
（２）上記した実施形態では、治具引っ掛け部を取付部材の下面に設けた場合を示したが、取付部材の上面や両側面に設けるようにしてもよい。また第１治具引っ掛け部と第２治具引っ掛け部とが取付部材における別の外面に配するようにしてもよい。また治具引っ掛け部の数・形状・配設位置についてはその他にも任意に変更可能であり、例えば治具引っ掛け部を３つ以上前後に異なる位置に設けるようにしてさらに多段階的なてこ操作を行うようにしてもよい。
【００３５】
（３）上記した実施形態では、取付部材がキャビティの周壁の一部である壁部を有するものを示したが、このような壁部を有さずにランスに対する撓み規制部を有する、いわゆるフロントリテーナにも本発明は適用可能である。逆に、ランスに対する撓み規制部を有さずに壁部を有する、いわゆるフロントホルダにも本発明は適用可能である。
【００３６】
（４）上記した実施形態では、第１治具引っ掛け部と第２治具引っ掛け部とが繋ぎ部により繋がれた場合を示したが、繋ぎ部を省略することも可能である。
（５）上記した実施形態では、取付部材をハウジングから取り外す場合を示したが、例えばフロントリテーナを本係止位置から仮係止位置へ移動させる場合にも本発明は適用可能である。
【００３７】
（６）取付部材のハウジングに対する保持手段については、任意に変更可能である。例えば、取付部材に１つの保持部を設け、ハウジング側に保持部が係止可能な係止部を前後に２つ設けるようにしてもよい。
（７）上記した実施形態では、防水機能を備えたコネクタを例示したが、非防水タイプのコネクタにも本発明は適用可能である。
（８）上記した実施形態では、雌型の端子金具を収容する雌コネクタを例示したが、本体部から前方へ延出するタブを備えた雄型の端子金具を収容する雄コネクタにも本発明は適用可能である。
【図面の簡単な説明】
【００３８】
【図１】本発明の一実施形態に係るハウジングの正面図
【図２】ハウジングの背面図
【図３】取付部材の正面図
【図４】取付部材の背面図
【図５】取付部材の平面図
【図６】図５のＡ−Ａ線断面図
【図７】取付部材の底面図
【図８】ハウジングに取付部材を装着する前の状態を示す図１及び図３のＢ−Ｂ線断面図
【図９】ハウジングに取付部材を装着する前の状態を示す図１及び図３のＣ−Ｃ線断面図
【図１０】取付部材を仮係止位置とした状態を示す図１及び図３のＢ−Ｂ線断面図
【図１１】取付部材を仮係止位置とした状態を示す図１及び図３のＣ−Ｃ線断面図
【図１２】取付部材を仮係止位置とし、端子金具を挿入した状態を示す図１及び図３のＢ−Ｂ線断面図
【図１３】取付部材を本係止位置とした状態を示す図１及び図３のＢ−Ｂ線断面図
【図１４】取付部材を本係止位置とした状態を示す図１及び図３のＣ−Ｃ線断面図
【図１５】治具により取付部材を本係止位置から仮係止位置へ移動させる動作を示す図１及び図３のＢ−Ｂ線断面図
【図１６】治具により取付部材を仮係止位置から取り外す動作を示す図１及び図３のＢ−Ｂ線断面図
【図１７】従来例の概略図
【符号の説明】
【００３９】
１０…端子金具
２０…ハウジング
２１…端子収容部
２２…外筒部
２６…ランス
２７…撓み空間
４０…取付部材
４７…撓み規制部
５４…第１治具引っ掛け部（治具引っ掛け部）
５５…第２治具引っ掛け部（治具引っ掛け部）
５６…繋ぎ部
Ｊ…治具
【図１】
2005322488.tif 000003
【図２】
2005322488.tif 000004
【図３】
2005322488.tif 000005
【図４】
2005322488.tif 000006
【図５】
2005322488.tif 000007
【図６】
2005322488.tif 000008
【図７】
2005322488.tif 000009
【図８】
2005322488.tif 000010
【図９】
2005322488.tif 000011
【図１０】
2005322488.tif 000012
【図１１】
2005322488.tif 000013
【図１２】
2005322488.tif 000014
【図１３】
2005322488.tif 000015
【図１４】
2005322488.tif 000016
【図１５】
2005322488.tif 000017
【図１６】
2005322488.tif 000018
【図１７】
2005322488.tif 000019